(57)【要約】【課題】走査型レーザ検眼鏡(SLO)と光断層干渉撮影装置(OCT)とを複合化した構成において、両者で同じ波長を用い、且つ、少なくとも一部の光学系を共有した構造の眼科装置を提供する。【解決手段】四角錐形状の反射鏡を用い、交線１〜光線４の４つの光束の分離と合流を行う。四角錐の頂部近くにおいて、各斜面の反射面のそれぞれに一つの光束を割り当てる。非同一光路で近接する関係にある４つの光束のそれぞれは、４つの反射面のそれぞれで個別に４方向に反射される。４つの反射点は、アイソレーションが確保できる範囲で、四角錐の頂部に極力近い位置が選択される。また、各反射面における反射点は、光学系の集光点と共役な位置が選択されている。角錐形状の反射鏡を用いることで、３以上の光線の分離と合流を行うことができる。【選択図】図７
2018196823.tif 000002
【特許請求の範囲】
【請求項１】
２種類の測定手段を複合化した構成を有する眼科装置であって、
それぞれ測定点で集光する第１の光路および前記第１の光路に近接する第２の光路と、
前記第１の光路と前記第２の光路において共用される光学部材を有した光学系と、
４つの三角形状の反射面を有する四角錐形状の反射鏡と
を備え、
前記第１の光路が前記２種類の測定手段の一方の光路であり、
前記第２の光路が前記２種類の測定手段の他方の光路であり、
前記第１の光路の光は、前記４つの三角形状の反射面の一つの前記第１の光路における測定点と共役な反射点で反射され、
前記第２の光路の光は、前記４つの三角形状の反射面の他の一つの前記第２の光路における測定点と共役な反射点で反射されることを特徴とする眼科装置。
【発明の詳細な説明】
【技術分野】
【０００１】
本発明は、２つ機能を複合化した眼科装置に関する。
【背景技術】
【０００２】
眼の疾患等の診断に利用される眼科装置として走査型レーザ検眼鏡（SLO=Scanning Laser Ophthalmoscope）と網膜の断層状態の観察が行える光断層干渉撮影装置（OCT=Optical Coherence Tomography）が知られている。走査型レーザ検眼鏡(SLO)は、レーザ光を走査しつつ眼底を照射し、眼底からの反射光を検出することで、正面から見た眼底（網膜）の状態を観察する装置である。光断層干渉撮影装置(OCT)は、光の干渉を利用して眼底の断層構造の観察を行う装置である。
【０００３】
また、収差の影響を補正する機構を備えたAO(Adaptive Optics)-SLOやAO-OCTも知られている。また、走査型レーザ検眼鏡(SLO)と光断層干渉撮影装置(OCT)とを複合化した眼科装置も知られている（例えば、特許文献１および２を参照）。
【先行技術文献】
【特許文献】
【０００４】
【特許文献１】特表２０１３−５１７８４２号公報
【特許文献２】特開２０１１−１６１００７号公報
【発明の開示】
【発明が解決しようとする課題】
【０００５】
走査型レーザ検眼鏡(SLO)と光断層干渉撮影装置(OCT)とを複合化した眼科装置では、眼底を正面から見た状態の観察画像と眼底の断層状態を観察画像とを得ることができる。両者を複合化した構造としては、走査型レーザ検眼鏡(SLO)の光学系と光断層干渉撮影装置(OCT)の光学系を組み合わせたものが考えられる。しかしながら、個別に２つの光学系を備えた構造は、複雑化、大型化、コストの上昇といった問題がある。
【０００６】
上記の複合機において、走査型レーザ検眼鏡(SLO)と光断層干渉撮影装置(OCT)とで、光学系の一部を共有する構造が考えられる。この場合、SLOとOCTの光を分離する仕組みが必要とされる。SLOとOCTの光を分離する方法としては、異なる２波長を用いる方法が考えられる。しかしながら、光学系は特定の波長において最適化されて設計されるので、異なる２波長を併用する構造では、収差の問題や波長分離時のエネルギー損失等において妥協した設計とならざるを得ない。すなわち、SLOとOCTの性能を共に追求することができない。
【０００７】
また、同一の波長を用い、光路を切り替えることで、SLOとOCTの一方を選択的に利用できる構成も提案されている（例えば、特許文献２参照）。しかしながら、この構成では、同時に両方が利用できない。つまり、SLOを用いて観察を行っている期間は、OCTを停止させなくてはならず、操作性の悪さや診断に時間がかかるといった問題がある。また、SLOとOCTの一方を選択的に利用できる構成は、眼球運動やアライメントずれのためにSLOとOCTの画像に撮影位置の差が発生する問題がある。
【０００８】
また、SLOとOCTとで同一波長を用いる構成として、ビームの分離を偏光ビームスプリッターにより行う構成が考えられる。しかしながら、眼底からの反射光は、偏光の状態が乱れているので、SLOをOCTの検出光を偏光ビームスプリッターで分離することは難しい。
【０００９】
このような背景において、本発明では、２種類の測定手段を複合化した構成において、両者で同じ波長を用い、且つ、少なくとも一部の光学系を共有した光学装置を得ることを課題とする。
【課題を解決するための手段】
【００１０】
本発明は、２種類の測定手段を複合化した構成を有する眼科装置であって、それぞれ測定点で集光する第１の光路および前記第１の光路に近接する第２の光路と、前記第１の光路と前記第２の光路において共用される光学部材を有した光学系と、４つの三角形状の反射面を有する四角錐形状の反射鏡とを備え、前記第１の光路が前記２種類の測定手段の一方の光路であり、前記第２の光路が前記２種類の測定手段の他方の光路であり、前記第１の光路の光は、前記４つの三角形状の反射面の一つの前記第１の光路における測定点と共役な反射点で反射され、前記第２の光路の光は、前記４つの三角形状の反射面の他の一つの前記第２の光路における測定点と共役な反射点で反射されることを特徴とする眼科装置である。
【発明の効果】
【００１１】
本発明によれば、２種類の測定手段を複合化した構成において、両者で同じ波長を用い、且つ、少なくとも一部の光学系を共有した光学装置が得られる。
【図面の簡単な説明】
【００１２】
【図１】実施形態の概念図である。
【図２】実施形態における視野分離ミラーの斜視図（Ａ）、正面図（Ｂ）および側面図（Ｃ）である。
【図３】SLO光とOCT光の合流および分離の原理を示す概念図である。
【図４】SLO観察視野とOCT観察視野との関係を示す図である。
【図５】SLOとOCTの観察画像を示す図である。
【図６】視野分離ミラーの他の例を示す概念図である。
【図７】視野分離ミラーの他の例を示す概念図である。
【発明を実施するための形態】
【００１３】
（構成）
図１には、実施形態の眼科装置１００が示されている。眼科装置１００は、補償光学走査型レーザ検眼鏡（AO-SLO）と補償光学光断層干渉撮影装置(AO-OCT)とを複合化した構成を有している。眼科装置１００では、AO-SLOとAO-OCTとで光学系の一部を共用している。なお、図１において、×印は、OCTの眼底共役位置であり、＋印は、SLOの眼底共役位置であり、＊印は、瞳共役位置である。なお、光学系および利用するレンズ等の光学部材は、後述する光源１０１と２０１が出力する光の波長において最適な性能が得られるように、その材質や反射防止膜等の特性が最適化されている。
【００１４】
眼科装置１００において、SLOの光路とOCTの光路は、同一ではなく、一方を光学系（視野分離ミラー１５１より被検眼３００の側の光学系）の軸上光（光軸に合致した光路）とし、他方を当該光学系の光軸から僅かに離れた軸外光とする。すなわち、SLO光とOCT光とは、眼底面内において僅かに集光位置がずれている。これは、後に説明する視野分離ミラー１５１を光学系内のある眼底共役位置に置き、SLO光とOCT光の集光点を眼底共役面内で僅かにずらしていることによる。なお、この例においては、SLO光を軸上光とし、OCT光を光軸から僅かに離れた軸外光としているが、勿論OCT光を軸上光とし、SLO光を軸外光としても良い。
【００１５】
眼科装置１００は、光源１０１と２０１を備えている。光源１０１は、AO-SLO用の光源であり、光源２０１は、AO-OCT用の光源である。光源１０１と２０１は、同じ中心波長の光を出力する。光源１０１と光源２０１は、例えば、波長５００ｎｍ〜１５００ｎｍの範囲から選ばれる指向性の高い光、すなわち拡がり角の小さい光を発するものが用いられる。光源１０１，２０１としては、固体レーザ、ガスレーザ、レーザダイオード（ＬＤ）、スーパールミネッセントダイオード（ＳＬＤ）、レーザドリブンライトソース（ＬＤＬＳ）等が挙げられる。光源１０１と光源２０１の選択においては、出力、帯域幅、偏光の状態等が異なるものを選択可能である。なお、OCTは光源波長幅内の異なる波長での干渉を利用するので、光源２０１として波長幅が広い光を発光するタイプのものが用いられる。
【００１６】
まず光源１０１に係る光路について説明する。光源１０１には、光を導く光ファイバ１０２が接続されている。光ファイバ１０２としては、単一モード光ファイバが採用されている。光ファイバ１０２の先には、光ファイバ１０２から出射したレーザ光を平行光にするためのレンズ（コリメータレンズ）１０３が配置されている。
【００１７】
光源１０１からの光は、レンズ１０３によって平行光とされ、ハーフミラー１０４に入射する。ハーフミラー１０４は、投光系と波面検出系とを分岐する光量分割ミラーである。ここで、投光系とは、被検眼３００へ光を照射する光学系のことであり、光源１０１、光ファイバ１０２およびレンズ１０３により構成されている。波面検出系とは、被検眼３００の眼底３０１からの反射光（検出光）から波面の情報を検出するための光学系のことであり、波面検出部１０５および光学系１０９により構成されている。
【００１８】
ハーフミラー１０４は、光源１０１からのレーザ光（投光）の一部を後述するハーフミラー１１０の側に透過すると共に、ハーフミラー１１０の側から入射する検出光の一部を波面検出部１０５の側に反射する。なお、ハーフミラー１０４の分岐比（分割される光量の比）は、１：１に限定されず、必要に応じて任意に設定可能である。なお、ハーフミラー１０４の代わりに偏光ビームスプリッターを用いることも可能である。
【００１９】
波面検出部１０５は、撮像装置であるＣＣＤ１０７と、その手前のレンズアレイ１０６を有している。レンズアレイ１０６は、ハルトマン板であり、波面検出部１０５は、シャックハルトマンセンサーとして機能する。レンズアレイ１０６は、小さなレンズを格子状に配列したもので、入射光を多数の光束に分割しそれぞれ集光する。レンズアレイ１０６によって集光された光はＣＣＤ１０７により撮像され、各レンズの焦点位置を解析することで、レンズアレイ１０６に入射した光の波面収差を知ることができる。すなわち、レンズアレイ１０６を介して被検眼３００の眼底３０１からの反射光を観察することで、被検眼の波面の乱れを知ることができる。
【００２０】
ＣＣＤ１０７が撮像した画像は、補償光学制御部１０８内の画像解析部（図示省略）に送られる。図示省略した画像解析部では、ＣＣＤ１０７が撮像した画像に基づいて眼底３０１の波面の乱れが解析される。補償光学制御部１０８は、図示省略したデフォーマブルミラー制御部を備えており、このデフォーマブルミラー制御部からは、上述した波面の乱れに関する解析結果に基づく制御信号が出力される。この制御信号により、検出した波面収差が抑えられるように、後述するデフォーマブルミラー１１７が制御される。
【００２１】
ハーフミラー１０４と波面検出部１０５との間には、一対のレンズと、その間のピンホール（光学絞り）を有した光学系１０９が配置されている。光学系１０９により、波面検出部１０５で検出される眼底３０１からの反射光束の深さ方向の位置を制限することができる。また、光学系１０９により、光学系及び被検眼３００からの反射ノイズが軽減される。
【００２２】
ハーフミラー１０４の被検眼３００の側には、別のハーフミラー１１０が配置されている。ハーフミラー１１０は、投光系と網膜撮像系（眼底撮像系）とを分岐する光量分割ミラーである。網膜撮像系は、眼底３０１からの反射光（検出光）から、眼底３０１にある網膜の画像情報を検出する。
【００２３】
網膜撮像系は、レンズ１１１、ピンホール（光学絞り）１１２および眼底反射光検出器１１３を備えている。眼底反射光検出器１１３は、眼底３０１からの微弱な反射光を検出する光検出素子であり、例えばＡＰＤ（アバランシュフォトダイオード）や光電子増倍管により構成されている。眼底反射光検出器１１３からの検出信号は、網膜画像作成部１６０に送られる。スキャンしながら眼底３０１に光源１０１からの光を照射することで、眼底反射光検出器１１３からは、反射光のスキャンデータが得られる。網膜画像作成部１６０は、眼底反射光検出器１１３が検出した反射光のスキャンデータに基づき、網膜の画像を作成する。この網膜の画像は、図示しないディスプレイに送られ、そこに表示される。
【００２４】
眼底反射光検出器１１３の前には、光学絞りとして機能するピンホール１１２が配置され、ピンホール１１２の前には、ピンホール１１２の光学絞り孔の部分に眼底共役位置がくるように光束を絞るレンズ１１１が配置されている。
【００２５】
ハーフミラー１１０の被検眼３００の側には、走査系を構成する第１スキャナ１１４、第２スキャナ１２０および第３スキャナ１２３が配置されている。第１スキャナ１１４は、縦方向（上下方向）のスキャンを行う。このスキャンは、第２スキャナおよび第３スキャナよりも高速で行われる。第１スキャナ１１４は、レゾナンススキャナにより構成されている。レゾナンススキャナ１１４（共振型スキャナ）は、ミラーを共振運動により往復回転させ、反射光の反射方向の走査を行う光学素子である。レゾナンススキャナは、スキャン中心を動かすことができないが、走査を高速に行える優位性がある。
【００２６】
第２スキャナ１２０は、横方向（左右方向）のスキャンを行うためのもので、ガルバノススキャナにより構成されている。ガルバノススキャナは、回転軸に取り付けたミラーをモータで駆動する構造を有している。ガルバノススキャナは、レゾナンススキャナに比較して高速動作は行えないが、スキャン中心を任意に設定できる優位性がある。
【００２７】
第３スキャナ１２３は、第１スキャナ１１４のスキャン範囲の拡大、およびスキャン位置を任意に設定できるように用いられるもので、縦方向（上下方向）のスキャンを行う。第３スキャナ１２３は、第１スキャナ１１４よりも低速のスキャンを行う。第３スキャナ１２３は、第１スキャナ１１４のような高速スキャンの必要はないが、スキャン位置の制御が必要であるので、ガルバノススキャナが用いられる。符号１１５，１１６，１１８，１１９，１２１，１２２，１２４は、光路を形成するリレーレンズである。なお、各スキャナの動作については後述する。
【００２８】
第１スキャナ１１４と第２スキャナ１２０の間には、波面補正デバイスであるデフォーマブルミラー１１７が配置されている。デフォーマブルミラー１１７は、波面補正を行うための可変形鏡である。デフォーマブルミラー１１７は、複数のアクチュエータによって表面の形状を変形させることが可能なミラーである。デフォーマブルミラー１１７は、補償光学制御部１０８からの制御信号により駆動され、その反射面を変形させることで、反射する光の波面の補正を行う。波面補正デバイスとしては、空間位相変調器やバイモルフミラー等を用いることもできる。
【００２９】
補償光学制御部１０８は、ＣＣＤ１０７が撮像した撮像画像に歪み（波面の歪み）がある場合、その歪みの状態を解析し、それに基づき、この歪みを減少させるようにデフォーマブルミラー１１７の表面形状を変形させる制御を行う。すなわち、眼底反射光検出器１１３が検出する眼底３０１の画像の解像度・コントラストが向上するように、デフォーマブルミラー１１７の表面形状の変形が行なわれる。こうして、収差の影響を抑えるための波面補償が行われる。
【００３０】
本実施形態では、以下に述べる関係となるように、反射面１５１ａの位置、リレーレンズ１１５から反射面１５１ａに至るSLO光の光路、レンズ２１０から反射面１５１ａに至るOCT光の光路、視野分離ミラー１５１から被検眼３００の側におけるSLO光とOCT光の光路、およびSLO光とOCT光における集光点（眼底共役位置）が設定されている。この設定により、SLOの集光点とOCTの集光点は、眼底面内及び眼底共役面内において僅かにずれており、そのため、視野分離ミラー１５１から被検眼３００の側の光学系においてSLOとOCTの光路は同一ではない。例えば、SLO光を視野分離ミラー１５１より被検眼３００の側の光学系の軸上光とし、OCT光を当該光軸から僅かに離れた軸外光としている。
【００３１】
以下、構成要素各部や光路の関係について説明する。まず、リレーレンズ１１５と１１６の間には、視野分離ミラー１５１が配置されている。図２には、視野分離ミラー１５１の斜視図（Ａ）、正面図（Ｂ）および側面図（Ｃ）が示されている。視野分離ミラー１５１の反射面１５１ａは、OCTの光路における測定点（眼底３０１）と共役な位置に配置されている。つまり、反射面１５１ａにおけるOCT光の反射点は、OCTの光路における測定点（眼底３０１）と共役な位置にある。反射面１５１ａは、OCT光を反射し、且つ、SLO光を反射しない。また反射面１５１ａは、SLOの光路における測定点（眼底３０１）と共役な位置に僅かな距離を隔てて隣接している。
【００３２】
視野分離ミラー１５１は、半円状の反射面１５１ａを有している。反射面１５１ａは、OCT光の光路上にあり、且つ、その反射位置にOCT光学系の眼底共役位置が位置する。他方において、反射面１５１ａは、SLO光の光路と交差しない。また、SLO光学系の眼底共役位置が、視野分離ミラー１５１におけるOCT光の反射点とSLOの光路とが近接する位置にある。
【００３３】
SLO光学系とOCT光学系とにおいて、眼底３０１は集光点である。よって、SLO光学系およびOCT光学系の眼底共役位置では、光束の径が最少となっている。この例では、光束の径が最少となっている眼底共役位置を利用して、SLO光が反射面１５１ａに当たらず、OCT光が反射面１５１ａに当たる状態を得ている。
【００３４】
眼底共役位置では、光束の径が最少であるので、OCT光の反射に要する反射面１５１ａの面積は僅かで済む。このため、OCT光の反射を反射面１５１ａの縁近くの部分、すなわちエッジの部分で行うことができる。他方において、SLO光の眼底共役位置ではSLO光の光束径が小さいので、SLO光の光路から反射面１５１ａを僅かに逸らすことで、SLO光は、OCT光が反射する反射面１５１ａのエッジの部分を外れ、SLO光と反射面１５１ａとが干渉しない状態とできる。
【００３５】
こうして、光束の径が最少となる眼底共役位置の僅かなずれを利用して、SLOの光束が反射面１５１ａの縁をかすめ、反射面１５１ａに当たらないようにし、他方において、OCT光をその眼底共役位置において反射面１５１ａの縁近くで反射させている。なお、ずれた位置関係にあるSLOとOCTの光路の位置は、SLO光とOCT光のアイソレーションが確保できる範囲で極力近いことが望ましい。
【００３６】
図２において、αの方向から到来したSLO光は、視野分離ミラー１５１の影響を受けずに直進する。この際、SLO光の視野分離ミラー１５１に近接する部分は、眼底共役位置であり、光束が狭まっているのでSLO光は視野分離ミラー１５１と干渉せず、視野分離ミラー１５１で反射されない。他方において、αとは異なるβの方向から到来したOCT光は、反射面１５１ａの縁近くの部分で反射され、SLO光と僅かにずれた位置でSLOの光路と並走する。この際、視野分離ミラー１５１でのOCT光の反射点は、OCT光学系の眼底共役位置であり、光束が狭まっているので反射点の位置を反射面１５１ａの縁近くぎりぎりの部分にまで寄せることができる。こうして、異なる方向から到来するSLO光とOCT光の合流が行われる。
【００３７】
他方、γの方向から到来した僅かにずれた光路の関係におけるSLO光とOCT光において、SLO光は視野分離ミラー１５１で反射されず、視野分離ミラー１５１をかすめて直進する。そして、OCT光は、視野分離ミラー１５１で反射され、光路の方向が変更される。こうして、同一方向から到来したSLO光とOCT光の分離が行われる。なお、この例では、αとβが直交する角度関係にある例が示されているが、αとβが直交しない関係とすることもできる。
【００３８】
図３は、SLO光とOCT光の分離及び合流の状態を示す斜視図である。図３には、第１スキャナ１１４によってスキャンが行われ、スキャンによって生じる３つのビームが概念的に示されている。なお、実際には、より細かくスキャンが行われ、スキャン方向におけるビームの数はより多いが、図３では作図の関係で３つのビームが記載されている。
【００３９】
まず、光源から被検眼の方向に向かう光（つまり被検眼への照射光）の向きで考えた場合を説明する。この場合、図３に示すように、リレーレンズ１１５から出たSLO光は、反射面１５１ａの縁をかすめリレーレンズ１１６に至る。これに対して、レンズ２１０から視野分離ミラー１５１に向かって照射されたOCT光は、反射面１５１ａの縁近くの部分で反射され、リレーレンズ１１６に入射する。このリレーレンズ１１６に入射するOCT光の光路は、SLO光の光路と同じ向きとなり、またその位置は、SLO光の光路と僅かにずれたものとなる。以上のようにして、SLOとOCTに係る照射光の合流が行われる。
【００４０】
次に、被検眼からの反射光（つまり観察される検出光）の向きで考えた場合を説明する。この場合、リレーレンズ１１６からリレーレンズ１１５の方向にSLO光とOCT光が向かう。SLO光とOCT光の光路は、並走しており、その位置はわずかにずれている。ここで、上述した光路の位置、眼底共役位置および視野分離ミラー１５１の位置関係の設定に起因して、SLO光は、視野分離ミラー１５１の縁近くをかすめるように通過し、リレーレンズ１１５に入射する。他方において、リレーレンズ１１６から出射したOCT光は、視野分離ミラー１５１で反射され、レンズ２１０の方向、すなわちOCT専用光学系の方向に向かう。以上のようにして、SLOとOCTに係る検出光の分離が行われる。なお、視野分離ミラー１５１に係るSLOの眼底共役位置とOCTの眼底共役位置は、図２および図３に示すSLO光とOCT光の分離と合流が行える範囲で正確な位置からずらすことができる。
【００４１】
この例では、SLO光の光路とOCT光の光路とは、光軸の方向から見て、反射面１５１ａの縁１５１ｂを間に挟んで隣接している。そして、縁１５１ｂは、第１スキャナ１１４によるSLO光のスキャン方向に延在している。
【００４２】
また、図３に示すように、反射面１５１ａの直線状の縁１５１ｂの延長方向が第１スキャナ１１４のスキャン方向に沿った状態となるように、視野分離ミラー１５１（反射面１５１ａ）の形状と位置が決められている。この構造によれば、第１スキャナ１１４によるスキャンが行われても、SLO光の光路は、反射面１５１ａの直線状の縁１５１ｂの延長方向に沿って移動し、SLO光は、反射面１５１ａと干渉しない。仮に第１スキャナ１１４のスキャン方向と縁１５１ｂの延長方向とが直交していると、第１スキャナ１１４のスキャン動作に従いSLO光の光路が移動すると、反射面１５１ａとSLO光とが干渉する可能性が生じ、第１スキャナ１１４のスキャン幅や２つの光路の位置関係に制約が生じる。
【００４３】
縁１５１ｂの延長方向が第１スキャナ１１４のスキャン方向に沿った状態としては、２つの方向が平行となる関係が最良であるが、スキャンされるSLO光と縁１５１ｂが干渉しない範囲であれば、２つの方向が完全な平行でなくてもよい。
【００４４】
なお、視野分離ミラー１５１の光源側のスキャナは、第１スキャナ１１４しかないので、第２スキャナ１２０と第３スキャナ１２３によるスキャン動作は、SLO光と視野分離ミラー１５１との関係には影響しない。
【００４５】
視野分離ミラー１５１の縁１５１ｂが曲線状であってもよい。この場合もスキャンされるSLO光と視野分離ミラーとが干渉しない形状に視野分離ミラーの形状と位置を決めればよい。これに関連し、反射面１５１ａの形状は、SLO光とOCT光との分離ができる形状であれば、図示する形状に限定されず、楕円形状や矩形形状等であってもよい。
【００４６】
図１に戻り、リレーレンズ１１６から被検眼３００の側では、SLOとOCTとで光学系が共用される。この際、SLOとOCTとで光路の位置がわかずにずれているが、そのずれはわずかであるので、光路のずれの起因する共有する光学系における悪影響の発生は最小限に抑えられる。
【００４７】
以上が視野分離ミラー１５１に関する説明である。次に、視野分離ミラー１５１によってSLOと分離されるOCT専用の光学系について説明する。OCTは、マイケルソン干渉計を基本としている。OCT専用の光学系は、光源１０１と同一波長の光源２０１を備えている。OCT光源である光源２０１は、時間的に低コヒーレンスである光を出力する光源が選択される。光源２０１から出射した光は、光ファイバ２０２によりファイバーカプラー２０３に送られる。ファイバーカプラー２０３は、光ファイバで伝送される光の分岐および合成を行う光学素子である。ファイバーカプラー２０３は、光源２０１からの光を参照光と測定光とに分岐する。参照光と測定光の光量比は、例えば、８０：２０とされている。
【００４８】
参照光は、ファイバーカプラー２０３から、リファレンスユニット２０５に送られる。リファレンスユニット２０５は、分散補償部材２０６、可動ミラー２０７および参照ミラー２０８を備えている。分散補償部材２０６は、測定光および検出光が光学系の中で受ける分散と同じ分散を参照光に与えるために部材である。分散補償部材２０６中を参照光が通過することで、測定光および検出光が光路の途中で受ける分散と同じ分散が参照光にも生じる。
【００４９】
可動ミラー２０７は、光軸方向に移動が可能な構造を有している。後述する視度補正系１２５で生じる測定光および検出光の光路長の変化に対応させて、可動ミラー２０７を光軸方向に可動させることで、参照光の光路長を調整し、測定に係るOCT光の光路長と参照光の光路長が同じになるように調整される。リファレンスユニット２０５に送られた参照光は、参照ミラー２０８で反射され、光路長が調整された状態でファイバーカプラー２０３に戻ってくる。
【００５０】
ところで、光源２０１から出射し、ファイバーカプラー２０３で分岐された光の他方は、測定光としてレンズ２０９，２１０を介して、OCT用光として視野分離ミラー１５１に照射される。このOCT光は、図２および図３に関連して説明した原理により、SLO光と合流し、共用される光学系を通って被検眼３００に向かう。
【００５１】
被検眼３００の眼底３０１で反射されたOCT光は、検出光として測定光（照射光）と逆の経路をたどり、ファイバーカプラー２０３に戻ってくる。この検出光は、リファレンスユニット２０５から得られる参照光とファイバーカプラー２０３において合成される。この合成により、干渉光が得られ、この干渉光は、干渉光検出系２１１に送られる。
【００５２】
干渉光検出系２１１は、回折格子により構成される分光器２１２、分光器２１２で分光された干渉光を平行光とするレンズ系２１３、レンズ系２１３からの光が入射するラインセンサ（ＣＣＤセンサ）２１４を備えている。
【００５３】
時間的に低コヒーレンスである光を用いた場合、参照光路と測定光の光路長がほぼ等しいときに干渉信号が得られる。眼底のような多層構造の対象を測定する場合、異なる層からの反射光あるいは後方散乱した光は、光源波長幅内の異なる波長で干渉する。この干渉光の波長スペクトルをスペクトル分光器で取得し、スペクトル強度分布に対してフーリエ変換することで、実空間での深さに関する情報を得ることができる。
【００５４】
本実施形態では、分光器２１２で分光された干渉光がラインセンサ２１４で検出される。ラインセンサ２１４の出力は、デジタル信号処理を行う電子回路を備えた干渉光分析部２１５に送られる。干渉光分析部２１５では、上述した原理に従ってデジタル信号処理により、眼底３１０の深さ方向の情報（網膜の層構造の情報）を得る。層画像作成部２１６は、デジタル処理により断層画像を作成する機能を有しており、干渉光分析部２１５での処理の結果に基づき、網膜の層構造に係る断層画像を作成する。この網膜の層構造に係る断層画像は、図示しないディスプレイに送られ、そこに表示される。
【００５５】
次に、リレーレンズ１２４の被検眼３００側の構成について説明する。リレーレンズ１２４の被検眼３００の側には、視度補正系１２５が設けられている。視度補正機構１２５は、眼底３０１の被観察点が光学系の焦点となるように調整を行う。すなわち、視度補正機構１２５は、レーザ光を眼底３０１上に略点像として照射するように調整を行う。視度補正機構１２５は、くの字形状の視度補正ミラー１２６，１２７を備えている。
【００５６】
視度補正ミラー１２６を視度補正ミラー１２７に対して相対的に遠近させることで、眼底３０１に焦点がくるように調整が行われる。視度には、個人差や個体差があるが、この視度に違いがあっても、視度補正ミラー１２６の位置を動かすことで、眼底３０１に焦点がくるように、つまり眼底３０１上に照射光が略点像として集光して照射されるように調整が行われる。また、視度補正機構１２５により、被検眼３００の屈折異常への対応、観察対象となる特定の層への集光位置の微調整が行われる。
【００５７】
視度補正機構１２５の被検眼３００の側には、レンズ系１２８を介して、ダイクロイックミラー１２９，１３０が配置されている。ダイクロイックミラー１２９は、光源１０１，２０１からの光を反射し、図示しない近赤外光源により照明された前眼部からの反射光を透過する。例えば、ダイクロイックミラー１２９は、光源１０１，２０１からの波長８４０ｎｍの光を反射し、図示しない近赤外光源により照明され前眼部から反射される波長９５０ｎｍ光を透過する。
【００５８】
ダイクロイックミラー１３０は、光源１０１，２０１および図示しない光源から前眼部に照射され前眼部で反射された近赤外光を反射し、後述する固視標１３２からの光を透過する。例えば、ダイクロイックミラー１３０は、光源１０１，２０１からの波長８４０ｎｍの光および前眼部で反射された波長９５０ｎｍの光を反射し、後述する固視標１３２からの波長５５０ｎｍの光を透過する。
【００５９】
被検眼３００の前には、対物レンズ１３１が配置されている。対物レンズ１３１は、収差を抑えるために複数のレンズを組み合わせた構造を有している（勿論、１枚のレンズで構成されていてもよい）。対物レンズ１３１により、被検眼３００の瞳位置にSLOとOCTの光学系の瞳が合致するように設定される。
【００６０】
被検眼３００は、ダイクロイックミラー１３０を介して固視標１３２を視認する。固視標１３２は、被検眼３００の向き（視線）を固定させるための視認目標である。固視標１３２は、被検眼３００が視認できる波長の光（４００ｎｍ〜６００ｎｍ程度）を発光するフィルムや有機ＥＬ素子により構成され、光軸に垂直な方向に移動可能とされている。固視標１３２を移動させることで、被検眼３００の視線の方向を観察者が意図する方向に誘導することができる。
【００６１】
被検眼３００の前眼部は、図示しない光源から近赤外光（例えば、波長９５０ｎｍ）が照射されており、被検眼３００からの反射光はダイクロイックミラー１３０、１２９を介して、前眼部観察系の撮像素子１３３に結像される。このように被検眼の前眼部（瞳）の近赤外光による撮像が行われる。撮像素子１３３は、ＣＣＤやＣＭＯＳイメージセンサーにより構成されている。
【００６２】
（AO-SLOの動作）
まず、補償光学走査型レーザ検眼鏡（AO-SLO）の基本的な動作について説明する。光源１０１からのSLO測定光は、ハーフミラー１１０→第１スキャナ１１４→デフォーマブルミラー１１７→第２スキャナ１２０→第３スキャナ１２３→視度補正系１２５→対物レンズ１３１を経て、被検眼３００の眼底３０１に集光した状態で照射される。眼底３０１に照射されたSLO測定光は、眼底３０１の集光点で反射される。この反射光は、SLO検出光として、上記と逆の経路をたどり、ハーフミラー１１０を透過して眼底反射光検出器１１３で検出される。
【００６３】
また、SLO検出光の一部は、ハーフミラー１１０でハーフミラー１０４の側に反射され、更にハーフミラー１０４で反射されて波面検出部１０５で検出される。波面検出部１０５では、SLO検出光における波面の乱れが検出され、その検出信号は、補償光学制御部１０８に送られる。補償光学制御部１０８は、波面検出部１０５が検出した波面の乱れを抑えるようデフォーマブルミラー１１７を制御する。これにより、SLO検出光の波面の乱れが抑えられる。こうして、眼底からの反射光の検出を行いつつ検出光における波面の補正が行われる。
【００６４】
この波面の補正は、リレーレンズ１１６より被検眼３００側で同じ光学系を利用するOCT光についても行われる。すなわち、SLO光とOCT光は、リレーレンズ１１６より被検眼３００の側で同じ光学系を共用しているので、SLO光に生じた収差と同様の収差がOCT光にも生じる。したがって、SLO検出光に基づくデフォーマブルミラー１１７による波面補正の効果は、OCT光にも同様に有効となる。
【００６５】
また上記の過程において、３つのスキャナの動作により以下のスキャン動作が行われる。まず、第１スキャナ１１４の相対的に高速に行われる縦スキャンと、相対的に低速で行われる第２スキャナ１２０の横スキャンの組み合わせにより、２次元の第１所定エリアのスキャンが行われる。次いで第３スキャナ１２３によって、上記のスキャンエリアの縦方向における位置が変更され、第１所定エリアに縦方向で隣接する領域において、第１スキャンエリアと同様の第２スキャンエリアのスキャンが行われる。この処理を繰り返すことで、縦方向に高いスキャン密度を確保しつつ、広いスキャンエリアが確保したAO-SLOの動作が行われる。更に第２スキャナ１２０の横スキャンのスキャン中心位置を変更することで、横方向にも広いスキャンエリアを持たせることができる。
【００６６】
（AO-OCTの動作）
上記の補償光学走査型レーザ検眼鏡(AO-SLO)による眼底像（網膜像）の観察と同時に補償光学光断層干渉撮影装置(AO-OCT)による眼底（網膜）の断層構造の観察が行われる。以下、AO-OCTの動作について説明する。AO-OCTにおいて、光源２０１からのOCT測定光は、視野分離ミラー１５１→デフォーマブルミラー１１７→第２スキャナ１２０→第３スキャナ１２３→視度補正系１２５→対物レンズ１３１を経て、被検眼３００の眼底３０１に集光されて照射される。また、光源２０１からのOCT測定光の一部はリファレンスユニット２０５に送られる。
【００６７】
眼底３０１から反射されたOCT反射光は、検出光として、上記と逆の経路をたどり、ファイバーカプラー２０３に至る。一方、リファレンスユニット２０５から戻ってきた反射光もファイバーカプラー２０３に至り、上記の眼底３０１から反射してきたOCT反射光と合成される。眼底３０１からのOCT反射光とリファレンスユニット２０５からの参照光とは干渉し、その干渉光が分光器２１２で分光され、この分光された光がラインセンサ２１４で検出される。そして、ラインセンサ２１４の出力に基づき、干渉光分析部２１５で干渉の状態が分析され、その結果に基づき、層画像作成部２１６で眼底３１０の層構造、すなわち被検眼３００の網膜の層構造を示す断層画像が作成される。
【００６８】
上記のOCTの動作は、SLOと同時に行われ、SLOとOCTの観察画像が同時に得られる。この際、図２および図３に関して説明した原理により、SLO光とOCT光の分離が行われるので、２つの観察内容が干渉する不都合が防止される。また、補償光学走査型レーザ検眼鏡(AO-SLO)における波面補償が行われるのと同時に補償光学光断層干渉撮影装置(AO-OCT)における波面補償も行われる。
【００６９】
また、OCTにおけるスキャンが第２スキャナ１２０と第３スキャナ１２３によって行われる。すなわち、第２スキャナ１２０による横方向におけるスキャンによって、SLOにおける第１所定エリアの縦方向の中心におけるOCTの横方向のスキャンが行われる。また、第３スキャナ１２３による縦方向のスキャンによって、第１所定エリアに縦方向で隣接する第２所定エリアについて同様のスキャンが行われる。これが繰り返されることで、被観察領域の全体についてのOCTのスキャンが行われる。
【００７０】
SLOとOCTは、光路の位置がずれている非同光路な関係にあるので、眼底上の視野関係は、図４のようになる。図４の視野の関係性をもってSLOとOCTの観察を同時に行うことができる。例えば、ディスプレイの右半分にSLOの観察画像を表示し、左半分にOCTの観察画像を表示するといったことが可能となる。なお、SLOとOCTの視野のずれは、視野分離ミラー１５１の位置での両集光点の間隔に関係する。
【００７１】
SLOとOCTの同時撮影を行った場合の画像の例を図５に示す。図５には、SLO画像と、その中央付近を水平に切断した断面の構造を示すOCT画像とを同時にディスプレイ上に表示した例が示されている。図５に示す画像において、撮影画角は７度であり、SLO画像とOCT画像の視野ズレは横方向に０．４度である。図５の画像表示は、図１では図示されない画像処理部において、網膜画像作成部１６０が作成したSLO画像と、層画像作成部２１６が作成したOCT画像とを合成する処理を行うことで得られる。図５の画像を観察することで、正面から見た網膜の拡大画像（SLO画像）とその断面構造の画像（OCT画像）とを同時に観察することができ、眼底の状態の三次元情報を視覚的に把握できる。特に図５に示すSLO画像とOCT画像は、個別のスキャンではなく、同一のスキャンにより得られるため、眼球運動による両撮影箇所のズレがなく、眼底診断に有効な眼底の３次元情報を迅速に取得できる。
【００７２】
（優位性）
本実施形態の構成では、SLO光の視野分離ミラー１５１に近接する部分は、眼底共役位置であり、光束が狭まっている。このため、SLO光を視野分離ミラー１５１に近づけることができる。また、OCT光の反射点は、眼底共役位置であり、光束が狭まっている。このため、OCT光の反射点を反射面１５１ａの縁の近傍に設定できる。つまり、眼底共役位置を利用することで、SLO光を視野分離ミラー１５１に極力近づけ、且つ、OCT光の反射点を反射面１５１ａの縁の近傍に設定することが可能となる。この構成によれば、SLO光に極力近い位置でOCT光を反射させることができ、合流した状態におけるSLO光の光路とOCT光の光路の位置ずれを小さく抑えることができる。また、眼底共役位置でSLO光とOCT光の反射点とを近接させることで、両者を近接させていながらSLO光とOCT光の分離を高い効率で行うことができる。
【００７３】
（その他１）
図１に示す構成において、波面制御を行うための構成を省いた構成も可能である。また、SLOとOCTで個別に波面制御を行う構成も可能である。この場合、SLOとOCTのそれぞれにおいて、視野分離ミラー１５１の光源側にデフォーマブルミラーと波面検出系を配置し、SLOにおける波面制御とOCTにおける波面制御とを独立に行う。また、SLOとOCTの一方のみにおいて波面制御を行う構成も可能である。この場合、SLOとOCTのいずれか一方において、視野分離ミラー１５１の光源側にデフォーマブルミラーと波面検出系を配置し、SLOとOCTのいずれか一方において波面制御を行う。
【００７４】
（その他２）
SLO光を視野分離ミラー１５１で反射させ、OCT光を視野分離ミラー１５１で反射させない光路設計も可能である。この場合、視野分離ミラー１５１に対するSLO光とOCT光の関係を逆転させ、更にSLO専用光学系とOCT専用光学系の位置関係を逆転させる。この場合、リレーレンズ１１５と１１６の間におけるSLO光の眼底共役位置に視野分離ミラー１５１の反射面１５１ａのエッジ近くを位置させ、反射面１５１ａでのSLO光の反射が行われる。他方でOCT光は、リレーレンズ１１６の側から見て、その眼底共役位置において視野分離ミラー１５１のエッジ近くで近接するが、視野分離ミラー１５１と干渉せずに直進する。
【００７５】
（その他３）
SLOの光源とOCTの光源は、厳密に同一波長である必要は必ずしもない。両者の光源の波長を同じにする優位性は、光学系の設計を特定の波長に対して最適化できる点にある。よって、波長の違いによる不利益が許容できる（あるいは生じない）範囲で、SLOの光源とOCTの光源の波長を違うものとすることは可能である。また、同じ波長であるが、発光原理の異なる光源をSLOとOCTにおいて用いることも可能である。
【００７６】
（その他４）
光源１０１と光源２０１とを一つの光源で兼ねることも可能である。この場合、一つの光源からの光をファイバーカプラーで２つの光ファイバに分岐させる。ここで、一方の光ファイバを光ファイバ１０２とし、他方の光ファイバを光ファイバ２０２とする。また、光源１０１と光源２０１とを一つの光源で兼ねる構成において、同一光源からのビームをハーフミラー等のビームスプリッターによりを二つに分け、一方の光路のビームがレンズ１０３に入射し、他方の光路のビームがレンズ２０９に入射するようにしてもよい。
【００７７】
（その他５）
以上の説明では、SLOとOCTを複合化した場合の例を説明したが、複合化の対象となる光学測定手段として、線状のビームで眼底をスキャンするSLOであるLSLO(Line Scanning Laser Ophthalmoscope)等を挙げることができる。LSLOについては、例えば特表２００５−５２９６６９号公報に記載されている。
【００７８】
以下、LSLOとOCTとを組み合わせた場合の一例を説明する。この場合、図２の状態において、SLO光としてLSLO光が利用される。このLSLO光は、反射面１５１ａに近接する眼底共役位置において、反射面の縁１５１ｂの延在方向に延びた線状のビーム形状を有している。このような線状のビームは、例えば、図示しない光学系により作り出される。このLSLO光は、図３のSLO光と同様に反射面１５１ａと干渉せずに直進する。すなわち、図３には、第１スキャナ１１４によって反射面の縁１５１ｂの延在方向にスキャンされたSLO光が記載されているが、このスキャンされるSLO光の代わりに当該スキャン方向（反射面の縁１５１ｂの延在方向）に延在する線状のLSLO光が利用される。この場合、図１の第１スキャナ１１４は必要なく、第２スキャナ１２０と第３スキャナ１２３によってLSLO光とOCT光のスキャンが行われる。また、LSLOの場合１６０の網膜撮像系への集光もライン状であるため、SLOのような点検出ではなくライン検出となる。よって検出器１１３は光ビームの集光ラインに対応する光検出器アレイとなり、ピンホール１１２はラインの短手方向を制限するスリット形状となる。なお、OCT光に関しては、図３に示すものと同じである。
【００７９】
（その他６）
図１の構成では、OCT光のスキャン方向が水平方向であるが、OCT光のスキャン方向を垂直方向とすることもできる。この場合、図１の光学系を光軸周りに９０度回転させた構造とすればよい。この場合、第１スキャナ１１４で水平方向の光速スキャンを行い、第２スキャナ１２０で縦方向のスキャンを行い、第３スキャナ１２３で水平方向のスキャンを行う。この場合、OCT光は、第２スキャナにより縦方向にスキャンされ、例えば、図５のOCT画像として、縦方向の切断断面のものが得られる。
【００８０】
（その他７）
図６には、視野分離ミラーの他の例が示されている。図６の例では、直交する２つの反射面を用いて、SLO光とOCT光との分離と合流を行っている。この例では、SLO光とOCT光の両方を反射面で反射させている。この例において、それぞれの光路における反射点は、眼底（集光点）と共役な位置に設定されている。また、２つの反射点は、アイソレーションが確保できる範囲で、図の頂部に極力近い位置が選択される。
【００８１】
図７には、視野分離ミラーの他の例が示されている。図７の例では、交線１〜光線４の４つの光束の分離と合流を行う例が示されている。この例では、四角錐形状の反射鏡を用い、４つの斜面の部分の三角形状の反射面を利用する。すなわち、四角錐の頂部近くにおいて、各斜面の反射面のそれぞれに一つの光束を割り当てる。非同一光路で近接する関係にある４つの光束のそれぞれは、４つの反射面のそれぞれで個別に４方向に反射される。
【００８２】
４つの反射点は、アイソレーションが確保できる範囲で、四角錐の頂部に極力近い位置が選択される。また、各反射面における反射点は、光学系の集光点と共役な位置が選択されている。この例のように角錐形状の反射鏡を用いることで、３以上の光線の分離と合流を行うことができる。
【００８３】
（明細書に記載された内容の要旨）
（第１の開示内容）
本明細書には、それぞれ測定点で集光する第１の光路および前記第１の光路に近接する第２の光路と、前記第１の光路と前記第２の光路において共用される光学部材を有した光学系と、前記第２の光路における測定点と共役な位置に配置され、前記第２の光路の光を反射し、且つ、前記第１の光路における測定点と共役な位置に隣接し、前記第１の光路の光を反射しない反射面とを備えることを特徴とする眼科装置が開示されている。
【００８４】
この構成によれば、集光する測定点と共役な位置で光束が収束することを利用し、第１の光路の光を当該反射面で反射させず、第２の光路の光を当該反射面で反射させ、２つの光路の分離と合流を行う。集光する測定点と共役な位置では、光束が絞られ断面が小さくなっているので、２つの光路がわずかにずれた位置関係であっても一方を当該反射面に当てず、他方を当該反射面に当てて反射させることが可能となる。また、第１の光路と第２の光路を近接させることができるので、光学系、特にレンズ等の屈折光学系を２つの光路で共用することができる。ここで、光路とは、光が進む経路と見なせる線である。例えば、断面が円形で偏りのない光束であれば、進行方向から見た光束の中心部分を光路が通る。
【００８５】
（第２の開示内容）
上記の構成において、前記第１の光路が前記反射面における前記第２の光路の反射点と近接する位置に、前記第１の光路における測定点と共役な位置がある構成が挙げられる。
【００８６】
この構成によれば、第２の光路の反射点に第１の光路が最も近づく位置が第１の光路における集光点と共役な位置となる。この位置は、第１の光路の光束の大きさが最少となる位置であるので、第１の光路を当該反射面に近づけつつ第１の光路と当該反射面との干渉を効果的に避けることができる。
【００８７】
（第３の開示内容）
第３の開示内容は、第１または第２の開示内において、前記第１の光路に対して特定中心波長の光を出力する第１の光源と、前記第１の光源と同一波長とみなせる光を前記反射面に対して出力する第２の光源とを備えることを特徴とする。
【００８８】
第３の開示内容によれば、屈折光学系を同一とみなせる波長で最適化することができる。すなわち、レンズ等は、利用する波長で最適な性能が得られるようにその材質や反射防止膜等の特性が最適化されるが、同一とみなせる波長を第１の光路と第２の光路とで用いることで、両光路において最適化された光学系（特に屈折光学系）を用いることができ、２つの光路における光学系の特性を追及することができる。なお、同一とみなせる波長というのは、文字通りの同一の波長である場合、および波長は僅かに異なるが、光学系の設計の上では、同一と扱って不都合が生じない場合のことをいう。
【００８９】
第４の開示内容は、第３の開示内容において、前記第１の光路が走査型レーザ検眼鏡の光路であり、前記第２の光路が光断層干渉撮影装置の光路であり、前記光学系には、測定対象物に向かう方向に向かって、第１の方向のスキャンを行う第１スキャナ、前記第１の方向と直交する第２の方向のスキャンを行う第２スキャナ、および前記第１スキャナに比較して低速で前記第１の方向のスキャンを行う第３スキャナが順に配置され、前記反射面は、前記第１スキャナと前記第２スキャナの間に配置されていることを特徴とする。
【００９０】
第４の開示内容によれば、第１スキャナ、第２スキャナおよび第３スキャナを用いて走査型レーザ検眼鏡(SLO)の高密度かつ広範囲のスキャンが行われ、このスキャンと同時に第２スキャナおよび第３スキャナによって光断層干渉撮影装置(OCT)のスキャンが行われる。すなわち、第４の開示内容によれば、SLOとOCTとにおいて個別にスキャンを行う必要がなく、SLOのスキャンを行った時に同時にOCTのスキャンも行われ、SLOとOCTの検出データを同時に得ることができる。
【００９１】
第５の開示内容は、第４の開示内容において、前記反射面よりも前記測定対象物の側に配置された波面補正デバイスを備えることを特徴とする。第５の開示内容では、SLOとOCTとで光学系が共有され、更に使う波長が同一とみなせる波長であるので、補償する波面の収差がSLOとOCTとで同じものとなる。この構成によれば、SLOとOCTにおける波面の収差が一つの波面補正デバイスにより波面補償される。
【００９２】
第６の開示内容は、第４または第５の開示内容において、前記反射面は、縁を有し、前記第１の光路と前記第２の光路とは、前記縁を間に挟んで隣接し、前記縁は前記第１スキャナによる前記第１の光路のスキャン方向に延在していることを特徴とする。第６の開示内容によれば、第１スキャナによる第１の光路のスキャンが行われても、反射面と第１の光路との干渉が生じない構造が得られる。
【産業上の利用可能性】
【００９３】
本発明は、眼科装置に利用することができる。
【符号の説明】
【００９４】
１００…眼科装置、１０１…光源、１０２…光ファイバ、１０３…レンズ（コリメータレンズ）、１０４…ハーフミラー、１０５…波面検出器、１０６…レンズアレイ、１０７…ＣＣＤ、１０８…補償光学制御部、１０９…光学系、１１０…ハーフミラー、１１１…レンズ（集光レンズ）、１１２…ピンホール、１１３…眼底反射光検出器、１１４…第１スキャナ、１１５…リレーレンズ、１１６…リレーレンズ、１１７…デフォーマブルミラー、１１８…リレーレンズ、１１９…リレーレンズ、１２０…第２スキャナ、１２１…リレーレンズ、１２２…リレーレンズ、１２３…第３スキャナ、１２４…リレーレンズ、１２５…視度補正系、１２６…視度補正ミラー、１２７…視度補正ミラー、１２８…レンズ系、１２９…ダイクロイックミラー、１３０…ダイクロイックミラー、１３１…対物レンズ、１３２…固視標、１３３…撮像素子、１５１…視野分離ミラー、１５１ａ…反射面、１５１ｂ…反射面の縁、１６０…網膜画像作成部、２０１…光源、２０２…光ファイバ、２０３…ファイバーカプラー、２０５…リファレンスユニット、２０６…分散補償部材、２０７…可動ミラー、２０８…参照ミラー、２０９…レンズ、２１０…レンズ、２１１…干渉光検出系、２１２…分光器、２１３…レンズ系、２１４…ラインセンサ、２１５…干渉光分析部、２１６…層画像作成部、３００…被検眼、３０１…眼底。
【図１】
2018196823.tif 000003
【図２】
2018196823.tif 000004
【図３】
2018196823.tif 000005
【図４】
2018196823.tif 000006
【図５】
2018196823.tif 000007
【図６】
2018196823.tif 000008
【図７】
2018196823.tif 000009